(57)【要約】【課題】容易に記録媒体を搬送可能なディスク装置を提供する。【解決手段】ディスク装置１００のトレイ３００は、ケース体２００の開口２０１Ａから進退可能に設けられる進退移動部３１０と、進退移動部３１０の開口２０１Ａの一端部に沿う端縁で、進退移動部３１０の排出方向先端側近傍に、光ディスクを保持するディスク処理部２０を備えた回動移動部３２０と、を備えた。これにより、トレイ３００をケース体２００から排出させた状態で回動移動部３２０をケース体２００から離隔する方向に回動させることができ、光ディスクのターンテーブル２３への脱着が容易となり、光ディスクの搬送を容易に実施できる。【選択図】図２
2008176845.tif 000002
【特許請求の範囲】
【請求項１】
少なくとも一面に長手状の開口を有し、この開口に連通する内部空間を有するケース体と、前記開口の長手方向を含む面内で前記開口から前記ケース体に進退自在に設けられるとともに、記録媒体を保持可能なトレイと、を備えたディスク搬送装置であって、
前記トレイは、少なくとも前記ケース体の前記開口の一端側に沿って前記ケース体の内外に進退移動可能な進退移動部と、前記進退移動部における前記開口の一端縁に沿う端縁の前記ケース体から排出される排出方向先端側近傍に、前記トレイの移動面と略同一面内で前記ケース体に接離する方向に回動可能に設けられるとともに、前記記録媒体を保持する保持部を有する回動移動部と、を備えた
ことを特徴とした記録媒体搬送装置。
【請求項２】
請求項１に記載の記録媒体搬送装置であって、
前記ケース体は、前記回動移動部の移動を案内する案内部を備えた
ことを特徴とした記録媒体搬送装置。
【請求項３】
請求項２に記載の記録媒体搬送装置であって、
前記回動移動部は、前記案内部に係合可能な係合部を備え、
前記案内部は、前記トレイの進退移動方向に沿って設けられるとともに、前記トレイが前記ケース体に対して進退する状態で前記係合部が係合する直線案内部と、前記直線部の前記開口側の先端に連結されて、前記トレイが排出された状態で前記係合部が係合され、前記回動移動部の回動を案内する略円弧状の円弧案内部と、を備えた
ことを特徴とした記録媒体搬送装置。
【請求項４】
請求項３に記載の記録媒体駆動装置であって、
前記直線案内部は、前記回動移動部の前記回動中心の移動経路に沿う開口の一端側近傍に前記トレイの進退方向に沿って設けられた
ことを特徴とした記録媒体搬送装置。
【請求項５】
請求項１ないし請求項４のいずれかに記載の記録媒体搬送装置であって、
前記トレイが前記ケース体から排出された状態で、前記回動移動部を前記ケース体から離れる方向に付勢する第一付勢手段を備えた
ことを特徴とした記録媒体搬送装置。
【請求項６】
請求項１ないし請求項５のいずれかに記載の記録媒体搬送装置であって、
前記トレイが前記ケース体に進退移動する状態および前記トレイが前記ケース体内部に格納された状態で、前記回動移動部を前記ケース体の前記トレイの進退方向に沿う両側面のいずれか一方に付勢する第二付勢手段を備えた
ことを特徴とした記録媒体搬送装置。
【請求項７】
請求項１ないし請求項６のいずれかに記載の記録媒体搬送装置と、
前記記録媒体を保持する保持手段と、
前記保持手段にて保持された前記記録媒体の情報を読み込む読込処理および前記記録媒体に情報を書き込む書込み処理のうち少なくともいずれか一方の処理を実施する情報処理部と、
を具備したことを特徴としたディスク装置。
【発明の詳細な説明】
【技術分野】
【０００１】
本発明は、トレイにより記録媒体を搬送する記録媒体搬送装置、およびディスク装置に関する。
【背景技術】
【０００２】
従来、ディスクをトレイに載置して装置内部に搬送するディスク装置が知られている（例えば、特許文献１参照）。
【０００３】
この特許文献１に記載のものは、ディスク駆動メカニズムが搭載されたドロワの左右にガイドレールが配設され、このガイドレールによりドロワが底板にスライド自在に支持されている光ディスク装置である。この光ディスク装置では、ドロワの排出時、底板からドロワ全体が排出された状態でロックされる構成が採られている（特許文献１中の図１および図３参照）。
【０００４】
【特許文献１】特開平２００６−１９０３５２号公報
【発明の開示】
【発明が解決しようとする課題】
【０００５】
ところで、上記特許文献１のような従来のディスク装置では、ドロワの左右に配設される２本のガイドレールによりトレイ全体を支えているため、例えばドロワを完全に引き出した状態（特許文献１中図１および図３参照）で、ドロワに加わる衝撃やドロワの自重により、ドロワが垂れ下がるおそれがあり、強度的に不安定であるという問題が一例として挙げられる。
【０００６】
このような問題に対して、シャーシとトレイの一部とが重なり合う構成とすることが考えられる。しかしながら、スリムドライブディスク装置では、奥行き寸法の規格が決まっているため、トレイ上のディスク装着部分とシャーシとが重なり合い、ディスクをトレイに装着する際にディスクの挿入角を小さくする必要があり、ターンテーブルにディスクの中心を合わせる作業が困難であるという問題が一例として挙げられる。
【０００７】
本発明は、上記のような問題に鑑みて、容易に記録媒体を搬送可能なディスク搬送装置、およびディスク装置を提供することを１つの目的とする。
【課題を解決するための手段】
【０００８】
請求項１に記載の発明は、少なくとも一面に長手状の開口を有し、この開口に連通する内部空間を有するケース体と、前記開口の長手方向を含む面内で前記開口から前記ケース体に進退自在に設けられるとともに、記録媒体を保持可能なトレイと、を備えたディスク搬送装置であって、前記トレイは、少なくとも前記ケース体の前記開口の一端側に沿って前記ケース体の内外に進退移動可能な進退移動部と、前記進退移動部における前記開口の一端縁に沿う端縁の前記ケース体から排出される排出方向先端側近傍に、前記トレイの移動面と略同一面内で前記ケース体に接離する方向に回動可能に設けられるとともに、前記記録媒体を保持する保持部を有する回動移動部と、を備えたことを特徴とした記録媒体搬送装置である。
【０００９】
請求項７に記載の発明は、請求項１ないし請求項６のいずれかに記載の記録媒体搬送装置と、前記記録媒体を保持する保持手段と、前記保持手段にて保持された前記記録媒体の情報を読み込む読込処理および前記記録媒体に情報を書き込む書込み処理のうち少なくともいずれか一方の処理を実施する情報処理部と、を具備したことを特徴としたディスク装置である。
【発明を実施するための最良の形態】
【００１０】
〔ディスク装置の構成〕
以下、本発明に係る一実施の形態のディスク装置を図面に基づいて説明する。
図１は、本発明に係る一実施の形態のディスク装置において、ケース体内にトレイを収納した状態でのディスク装置内部の概略を示す平面図である。図２は、前記実施の形態のディスク装置において、ケース体からトレイを排出させた状態での平面図である。図３は、トレイの正面側近傍の断面の概略を示す側断面図である。図４は、トレイの搬送途中におけるディスク装置を示す平面図である。
【００１１】
図１および図２において、１００はディスク搬送装置としても機能するディスク装置で、このディスク装置１００は、例えば携帯型のパーソナルコンピュータなどの電気機器に装着されるいわゆるスリムディスク装置（或いはスリムディスクドライブ）と称されるものである。
このディスク装置１００は、着脱可能に装着されるディスク状の記録媒体、例えばＣＤ(Compact Disc)やＤＶＤ(Digital Versatile Disc)などの光ディスクにおける少なくとも一面に設けられた図示しない記録面に記録された情報を読み出す情報処理である読取処理および記録面へ各種情報を記録する情報処理である記録処理の少なくとも一方の処理をする。
そして、ディスク装置１００は、ケース体２００と、トレイ３００と、などを備えている。
【００１２】
ケース体２００は、金属板にて内部空間を有する略箱状に形成されている。
そして、ケース体２００は、筐体本体部２００Ａと、図中筐体本体部２００Ａの右側に設けられるウィング部２００Ｂとを備えて構成されている。これらの筐体本体部２００Ａおよびウィング部２００Ｂは、天面が同一平面上に形成され、底面が異なる高さ寸法に形成されている。すなわち、ウィング部２００Ｂの底面は、筐体本体部２００Ａの底を構成するケース体２００の底面２０３よりも天面からの距離寸法が小さく形成されている。
また、ケース体２００の正面２０１には、開口２０１Ａが開口形成され、この開口２０１Ａを介してトレイ３００が筐体本体部２００Ａに進退自在に配設されている。
さらに、ケース体２００の内部には、トレイ３００の進退方向に沿って配設されるレール部２１０と、トレイ３００の一部を構成する回動移動部３２０の移動を案内する案内部としての案内溝２２０と、トレイ３００の進退移動を規制する図示しない開閉機構部と、ディスク装置の動作の制御などを実施する図示しない回路部と、が設けられている。
また、ケース体２００には、回路部と接続される図示しないコネクタ部が設けられている。コネクタ部は、例えばディスク装置１００の外部のパーソナルコンピュータなどの電気器と接続可能で、電気機器から各種情報を送受信したり、電力が供給されるプラグが接続されたりする。
【００１３】
レール部２１０は、ケース体２００の開口２０１Ａからトレイ３００の進退方向に沿って筐体本体部２００Ａの進退方向における両側部に位置して配設され、トレイ３００の進退方向における両側面に沿って設けられている。このレール部２１０は、ケース体２００に固定される一対のレール２１１と、トレイ３００に摺動可能に設けられる対をなすレールガイド２１２Ａ，２１２Ｂと、を備えている。
レール２１１は、筐体本体部２００Ａにおける開口２０１Ａの左右両端からケース体２００の奥側（図１および図２における上側）に向かって、筐体本体部２００Ａの両側面２０４，２０５に沿って延出して形成されている。これらのレール２１１は、例えばポリオキシメチレン（polyoxymethylene：ＰＯＭ）などの合成樹脂製で、互いに対向する面が開口する例えば断面略コ字状の図示しない凹溝を備えて形成され、この凹溝にそれぞれレールガイド２１２Ａ，２１２Ｂが長手方向でトレイ３００の進退方向に沿って摺動自在に支持されている。
レールガイド２１２Ａ，２１２Ｂは、内面側にトレイ３００の両側部が摺動自在に係合可能に、金属板にて断面略コ字状に形成されている。
さらに、ケース体２００には、レールガイド２１２Ａ，２１２Ｂの進退方向への移動を規制してレールガイド２１２Ａ，２１２Ｂがレール２１１から脱落することを防止する図示しない規制機構が設けられている。
さらには、レール２１１とトレイ３００の側面との間には、図示しない排出規制部が設けられている。この排出規制部は、トレイ３００がケース体２００から所定寸法排出された状態で、トレイ３００の進出を規制する。この排出規制部によりトレイ３００の進出が規制された状態では、トレイ３００のケース体２００側の一部が、開口２０１Ａよりケース体２００内の内部空間に収納された状態となる。
【００１４】
案内溝２２０は、図２および図４に示すように、筐体本体部２００Ａの図中左側の左側面２０４近傍から開口２０１Ａ近傍に亘って、筐体本体部２００Ａの底面２０３に設けられている。この案内溝２２０は、例えば、筐体本体部２００Ａの底面２０３に合成樹脂製の案内溝２２０を接着などにより固定して形成されるものであってもよく、例えば底面２０３にエンボス加工したり、溝状に切り欠いて形成されたりするものであってもよい。そして、この案内溝２２０は、直線案内部２２１と、円弧案内部２２２と、を備えている。
直線案内部２２１は、左側面２０４に沿って、トレイ３００の進退方向、すなわち開口２０１Ａに略直交し、正面２０１から背面２０２に向かう直線方向に沿って形成されている。
円弧案内部２２２は、直線案内部２２１の正面２０１側端部に、溝部が連通する状態で連結されている。この円弧案内部２２２は、トレイ３００がケース体２００から排出され、排出規制部によりトレイ３００の進出が規制された状態で、トレイ３００の化粧板３０１近傍で、かつトレイ３００の図中左側側縁に設けられる後述の回動移動部３２０の軸支ピン３１４を中心とした円弧状に形成されている。
【００１５】
トレイ３００は、図１および図２に示すように、例えば合成樹脂などにて形成された略板状に形成され、ケース体２００の開口２０１Ａから進出自在に設けられている。具体的には、トレイ３００は、ケース体２００にレール部２１０を介して進退自在に設けられる進退移動部３１０と、進退移動部３１０に対して回動自在に設けられる回動移動部３２０と、を備えている。
【００１６】
進退移動部３１０は、トレイ３００の進退方向に沿う両側面にそれぞれレールガイド２１２Ａ，２１２Ｂが設けられ、レール２１１に摺動可能に設けられている。また、進退移動部３１０は、化粧板３０１側の一端部からトレイ３００の略中心に向かって、切欠部３１２が形成され、この切欠部３１２に回動移動部３２０に保持された後述の保持部としてのディスク処理部２０がトレイ３００の上面側に臨んで設けられている。
また、進退移動部３１０の一平面側となる上面側には、記録媒体としての光ディスクの径寸法より若干大きい円弧状凹部３１３が設けられている。
さらに、進退移動部３１０の化粧板３０１側の左側端縁近傍には、トレイ３００の下面側に突出する軸支ピン３１４が設けられており、回動移動部３２０を回動自在に保持している。
【００１７】
回動移動部３２０は、図２および図４に示すように、中心角が略直角となる略扇状に形成されており、図３に示すように、進退移動部３１０の下面側に配設されている。この回動移動部３２０の扇の径方向に沿う一辺には、化粧板３０１が固定されている。また、この回動移動部３２０は、化粧板３０１の左側面２０４側端部近傍で、軸支ピン３１４に回動自在に支持されている。
【００１８】
また、この回動移動部３２０の扇の径方向に沿う他辺（化粧板３０１と略直交する一辺）における軸支ピン３１４により軸支される回動中心側とは反対側の端部近傍には、裏面側に突出する係合ピン３２１が突出形成されている。この係合ピン３２１は、ケース体２００の案内溝２２０に係合され、回動移動部３２０の移動を規制する。
【００１９】
さらに、回動移動部３２０の円弧外周縁３２０Ａは、トレイ３００が排出規制部により進出が規制された状態で、軸支ピン３１４から筐体本体部２００Ａの右側面２０５の開口２０１Ａ側端部までの距離寸法より短い径寸法となる位置に形成されている。
【００２０】
そして、回動移動部３２０を進退移動部３１０に回転可能に軸支する軸支ピン３１４には、回動移動部３２０をケース体２００から離隔させる方向、すなわち図中時計回り方向に回動移動部３２０を付勢する第一付勢手段としての付勢ばね３２２が設けられている。この付勢ばね３２２の付勢力により、回動移動部３２０は、トレイ３００がケース体２００から排出されて排出規制部により進出が規制された状態で、ケース体２００から離隔する方向に付勢され、係合ピン３２１が円弧案内部２２２に沿って移動する。
【００２１】
また、トレイ３００がケース体２００内に収納された状態で、回動移動部３２０の筐体本体部２００Ａの右側面２０５に対向する一部には、第二付勢手段としての板ばね３２３がケース体２００の右側面２０５に向かってトレイ３００の進退方向に対して所定角度で傾斜する状態で固定されている。この板ばね３２３は、トレイ３００がケース体２００内に格納された状態およびトレイ３００の進退移動部３１０がケース体２００に対して進退移動する状態において、ケース体２００の右側面２０５に当接して回動移動部３２０を左側面２０４側に付勢する。また、この板ばね３２３の付勢力は、付勢ばね３２２の付勢力よりも大きい付勢力を有している。これにより、トレイ３００進退移動している状態およびケース体２００の内部に収納されている状態では、係合ピン３２１が溝幅における左側面２０４側に付勢され、移動による振動が防止される。
【００２２】
そして、回動移動部３２０の上面側には、いわゆるトラバースメカと称されるディスク処理部２０が設けられている。また、トレイ３００の化粧板３０１の一部には、図示しないイジェクトボタンが設けられている。さらに、回動移動部３２０のディスク処理部２０の下面には、ディスク処理部２０を動作制御したりイジェクトボタンが接続されてトレイ３００の進退を制御したりする図示しない制御回路部が配設されている。制御回路部は、例えばフレキシブルコードなどにてケース体２００の回路部に接続されている。
【００２３】
ディスク処理部２０は、例えば金属板にて略板状に形成され回動移動部３２０に支持された台座部２１を有している。この台座部２１は、回動移動部３２０の化粧板３０１側の一端部から、中心位置に向かって長手に形成されている。また、台座部２１は、回動移動部３２０がケース体２００に近接する左側面２０４側に回動した状態で、進退移動部３１０の切欠部３１２からトレイ３００の上面側に臨む位置に配設されている。そして、この台座部２１には、長手方向に沿って、長手状の処理開口部２１Ａが略中央に切欠形成されている。
この台座部２１の処理開口部２１Ａの一端側にディスク回転駆動手段２２が配設されている。このディスク回転駆動手段２２は、図示しないスピンドルモータと、このスピンドルモータの出力軸に一体的に設けられた略円盤状の保持手段としてのターンテーブル２３とを備えている。スピンドルモータは、制御回路部に制御可能に接続され、制御回路部から供給される電力により駆動する。ターンテーブル２３は、トレイ３００の略中心部に設けられるとともに光ディスクを着脱可能に軸支し回転可能に保持する。
また、台座部２１には、情報処理部２４が配設されている。この情報処理部２４は、一対の図示しないガイドシャフト間に架橋する状態に支持されており、図示しない移動機構により処理開口部２１Ａ内でターンテーブル２３に対して近接離隔される。この情報処理部２４は、図示しない光源と、この光源からの光を収束するピックアップレンズ２４Ａと、光ディスクで反射された出射光を検出する図示しない光センサとを有するピックアップを備えている。
【００２４】
〔ディスク装置の動作〕
次に、上記ディスク装置１００の動作について説明する。
【００２５】
図１に示すようなトレイ３００がケース体２００に収納された状態において、利用者が化粧板３０１に設けられたイジェクトボタンを入力操作すると、制御回路部は開閉規制部の動作部を制御して規制爪部を移動させ、トレイ３００のトレイロック部との係合状態を解除し、トレイ３００のロックが解除された状態となる。
そして、このようなトレイ３００のロックが解除された状態で、例えば化粧板３０１を引き出すと、トレイ３００がレール部２１０に支持されて開口２０１Ａから外部へスライド移動される。この時、回動移動部３２０は、係合ピン３２１がケース体２００の案内溝２２０の直線案内部２２１に係合されて移動するため、進退移動部３１０に対して回動が規制された状態となっている。
【００２６】
そして、利用者によるトレイ３００を引き出すスライド移動により、トレイ３００が所定位置まで引き出されると、ケース体２００の規制機構およびトレイ３００の排出規制部により、トレイ３００の背面側の一部がケース体２００内に収納された状態で、トレイ３００がケース体２００から進出する。
この時、回動移動部３２０の係合ピン３２１は、直線案内部２２１の正面２０１側端部に移動し、円弧案内部２２２に係合される。そして、回動移動部３２０は、付勢ばね３２２により、ケース体２００から離れる時計回り方向に付勢され、係合ピン３２１が円弧案内部２２２に沿って移動する。これにより、回動移動部３２０は、図２に示すように、進退移動部３１０に対して時計回り方向に回動し、ディスク処理部２０がケース体２００から外部に進出する。
【００２７】
この後、ディスク処理部２０のターンテーブル２３に光ディスクの中心孔を係合させ、図４に示すように、利用者により回動移動部３２０をケース体２００に近接させる反時計周り方向に回動させる。これにより、係合ピン３２１が円弧案内部２２２に沿って、反時計回り方向に移動し、直線案内部２２１に係合される。そして、トレイ３００がケース体２００の背面２０２側に押し込まれると、トレイ３００が例えば図示しないロック部に係合されて、トレイ３００がケース体２００にロックされる。
この後、利用者の操作入力に基づいて、制御回路部は、装着された光ディスクの情報処理を実施する。
【００２８】
〔ディスク装置の作用効果〕
上述したように、上記第一の実施の形態のディスク装置１００では、トレイ３００は、ケース体２００の開口２０１Ａから進退可能に設けられる進退移動部３１０と、進退移動部３１０の左側面２０４に沿う端縁で、進退移動部３１０の排出方向先端側近傍に回動自在に設けられて、光ディスクを保持するディスク処理部２０を備えた回動移動部３２０と、を備えている。
このため、トレイ３００をケース体２００から排出させた状態で回動移動部３２０をケース体２００から離隔する方向に回動させると、ディスク処理部２０もケース体２００から離隔する方向に進出させることができ、ディスク処理部２０がケース体２００から引き出すことができる。したがって、光ディスクをターンテーブル２３に脱着する際に、例えば光ディスクの端縁がケース体に接触せず、光ディスクのターンテーブル２３への脱着が容易に実施でき、光ディスクをトレイに係合させて搬送する搬送作業を容易に実施できる。
【００２９】
また、トレイ３００の排出時に、トレイ３００の背面側一部がケース体２００の内部に挿入された状態となるため、トレイ３００をレール部２１０のみで支える場合に比べて、トレイ３００の排出時に加わる衝撃やトレイ３００の自重の影響を受けにくく、耐久性を向上させることができる。また、このような構成でも上記のように、トレイ３００をケース体２００から排出させた際に、回動移動部３２０をケース体２００から離れる方向に回動させることでディスク処理部２０がケース体２００から進出し、光ディスクの係脱時にケース体２００の開口２０１Ａ近傍の天面などが邪魔にならず、容易に光ディスクの脱着作業を実施することができる。
【００３０】
また、ケース体２００の底面２０３には、回動移動部３２０の係合ピン３２１が係合される案内溝２２０が形成されている。また、案内溝２２０は、トレイ３００の進退方向に沿う直線案内部２２１と、直線案内部の正面２０１側端部に連結され、回動移動部３２０の回動を案内する円弧案内部２２２と、を備えている。
このため、回動移動部３２０は、トレイ３００がケース体２００に対して進退移動している状態では、ケース体２００に近接する反時計周り方向に回動した位置を維持し、トレイ３００がケース体２００から排出された状態では、ケース体２００から離隔する時計回り方向に回動することができる。したがって、例えばディスク処理部２０にて光ディスクに所定の情報処理を実施している状態で、回動移動部３２０の回動によりディスク処理部２０が移動するなどの不都合がなく、ディスク処理部２０による良好な情報処理を実施できる。
また、トレイ３００が排出された状態で、係合ピン３２１は、円弧案内部２２２に沿って移動する。このため、係合ピン３２１が円弧案内部２２２の端部まで移動すると、回動移動部３２０の回動を規制することができる。したがって、回動移動部３２０が進退移動部３１０に対して過度に回動することがなく、光ディスクを良好にトレイ３００に設置することができる。
【００３１】
さらに、回動移動部３２０の係合ピン３２１は、回動移動部３２０の左側面２０４に沿う端縁における軸支ピン３１４が設けられる一端側とは反対側の端部近傍に設けられ、ケース体２００の案内溝２２０に係合されている。
このため、回動移動部３２０は、軸支ピン３１４および係合ピン３２１により２点支持することができ、衝撃や回動移動部３２０の自重による垂れ下がりを防止でき、トレイ３００の強度を強くすることができる。
【００３２】
また、案内溝２２０の直線案内部２２１は、ケース体２００の左側面２０４近傍で、トレイ３００の進退方向に沿って設けられている。
このため、円弧案内部２２２をケース体２００の左側面２０４近傍から右側面２０５の近傍までに亘って設けることができる。したがって、円弧案内部２２２の長さ寸法を大きくすることができるため、回動移動部３２０の回動量も大きくすることができる。よって、ディスク処理部２０をケース体２００から離れる方向に十分に引き出すことができ、光ディスクのターンテーブル２３への脱着作業がより容易に実施できる。
【００３３】
そして、軸支ピン３１４には、回動移動部３２０をケース体２００から離隔する方向に付勢する付勢ばね３２２が設けられている。
このため、トレイ３００がケース体２００から排出された状態で、付勢ばね３２２は、回動移動部３２０をケース体２００から離隔する方向に回動させることができる。したがって、光ディスクをターンテーブル２３に脱着するために利用者が回動移動部３２０を操作する必要がなく、より容易に光ディスクの脱着作業を実施することができる。
【００３４】
また、トレイ３００がケース体２００内に収納された状態で、回動移動部３２０の筐体本体部２００Ａの右側面２０５に対向する一部に板ばね３２３が設けられ、回動移動部３２０を左側面２０４側に付勢している。
このため、トレイ３００がケース体２００内に収納されている状態では、回動移動部３２０が左側面２０４側に付勢されているため、係合ピン３２１が直線案内部２２１の溝内で左側面２０４側に押し付けられる。したがって、板ばね３２３の付勢力により係合ピン３２１の直線案内部２２１内での振動や、幅方向への移動を規制することができる。よって、回動移動部３２０の振動やがたを防止でき、ディスク処理部２０のターンテーブル２３にて光ディスクを高速回転させた場合でも、ディスク処理部２０の振動を防止することができ、光ディスクの情報処理を良好に実施することができる。
【００３５】
〔他の実施の形態〕
なお、本発明は、上述した実施の形態に限定されるものではなく、本発明の目的を達成できる範囲で以下に示される変形をも含むものである。
【００３６】
すなわち、上記実施の形態では、ディスク装置１００は、ノート型パーソナルコンピュータなどに搭載可能な薄型のディスク装置を例示したが、これに限定されず、例えばデスクトップ型のパーソナルコンピュータなどに搭載される構成としてもよい。
また、ノート型パーソナルコンピュータに装着される構成に限らず、例えばゲーム機や、映像データの録画再生処理を実施する、いわゆるビデオ装置などに装着されてもよい。
【００３７】
そして、ディスク装置としては、読取処理および記録処理のうちいずれか一方のみを実施する構成としても対象とすることができる。
さらに、記録媒体としては、光ディスクに限らず、光磁気ディスクや磁気ディスクなど、各種構成を対象とすることができる。
【００３８】
また、上記実施の形態では、第一付勢手段として、軸支ピン３１４に設けられる付勢ばね３２２を例示したが、これに限定されない。例えば、進退移動部３１０と回動移動部３２０との間に板ばねを設ける構成としてもよく、係合ピン３２１を付勢する付勢手段と設ける構成などとしてもよい。
【００３９】
さらに、第二付勢手段として板ばね３２３を例示したが、例えばケース体２００に固定され、トレイ３００がケース体２００内に完全に収納された状態で、回動移動部３２０を左側面２０４側に付勢する板ばねを設ける構成などとしてもよい。
【００４０】
また、ケース体２００の底面２０３の左側面２０４近傍に、直線案内部２２１を設けたが、例えばケース体２００の底面２０３の略中央部にトレイ３００の進退方向に沿って直線案内部２２１が設けられる構成などとしてもよい。
【００４１】
さらに、ケース体２００の底面２０３に案内溝２２０を設けたが、例えばケース体２００の天面に設ける構成などとしてもよい。
さらには、上記したように、案内溝２２０は、ケース体２００の底面２０３に切欠形成されるものや、底面２０３をエンボス加工するなどして凹部を形成するものであってもよく、例えば合成樹脂制の案内溝を有する案内部材を底面２０３に固定する構成などとしてもよい。
また、トレイ３００側に案内溝を設け、ケース体２００にトレイ３００の案内溝に係合する係合突起を設ける構成などとしてもよい。
【００４２】
そして、上記実施の形態では、回動移動部３２０は略扇状に形成され扇の中心角を形成する一端部を軸支ピン３１４に回動自在に軸支させる構成を示したが、例えば、略直角三角形状に形成され直角部が軸支ピン３１４に回動自在に軸支される構成などとしてもよい。
【００４３】
また、回動移動部３２０は、進退移動部３１０の排出方向先端部における左側面２０４に沿う一端縁近傍に回動可能に設けられたが、例えば、進退移動部３１０の排出方向先端部における右側面２０５に沿う一端縁近傍に回動可能に設けられる構成としてもよい。この場合、案内溝２２０もケース体２００の底面２０３における右側面２０５側近傍に設ける構成であれば、良好に回動移動部３２０の移動を案内することができる。
【００４４】
その他、本発明の実施の際の具体的な構造および手順は、本発明の目的を達成できる範囲で他の構造などに適宜変更できる。
【００４５】
〔実施の形態の効果〕
上述したように、上記第一の実施の形態のディスク装置１００では、トレイ３００は、ケース体２００の開口２０１Ａから進退可能に設けられる進退移動部３１０と、進退移動部３１０の開口２０１Ａの一端部に沿う端縁で、進退移動部３１０の排出方向先端側近傍に回動自在に設けられて、光ディスクを保持するディスク処理部２０を備えた回動移動部３２０と、を備えている。
このため、トレイ３００をケース体２００から排出させた状態で回動移動部３２０をケース体２００から離隔する方向に回動させると、ディスク処理部２０もケース体２００から離隔する方向に進出させることができる。したがって、光ディスクのターンテーブル２３への脱着が容易に実施でき、光ディスクの搬送を容易に実施できる。
【図面の簡単な説明】
【００４６】
【図１】本発明に係る一実施の形態のディスク装置において、ケース体内にトレイを収納した状態でのディスク装置内部の概略を示す平面図である。
【図２】前記実施の形態のディスク装置において、ケース体からトレイを排出させた状態での平面図である。
【図３】トレイの正面側近傍の断面の概略を示す側断面図である。
【図４】トレイの搬送途中におけるディスク装置を示す平面図である。
【符号の説明】
【００４７】
２０      …保持部としてのディスク処理部
２３      …保持手段としてのターンテーブル
２４      …情報処理部
１００    …ディスク搬送装置としても機能するディスク装置
２０１Ａ  …開口
２００    …ケース体
２２０    …案内部としての案内溝
２２１    …直線案内部
２２２    …円弧案内部
３００    …トレイ
３１０    …進退移動部
３２０    …回動移動部
３２１    …係合部としての係合ピン
３２２    …第一付勢手段としての付勢ばね
３２３    …第二付勢手段としての板ばね
【図１】
2008176845.tif 000003
【図２】
2008176845.tif 000004
【図３】
2008176845.tif 000005
【図４】
2008176845.tif 000006